(57)【要約】      （修正有）【課題】良好な放熱効果を有するとともに、蚊や蟻の進入による電子部品の破損を防ぐことができる、電球式及び埋め込み式照明の構造を提供する。【解決手段】基部１０と、設置台座２０と、発光素子３０と、保護カバー５０と、ガラス繊維不織布から作られ一面に細孔を有する環状帯が内設された透気部４０とからなる。基部内には、電源駆動モジュール６０が設けられる。少なくとも一つの発光素子が、設置台座上に設けられる。透気部は、基部の頂端に設けられるとともに、設置台座の底端に接続される。また、発光素子は、電源駆動モジュールと電気的に接続される。保護カバーは、設置台座上に被せられて、発光素子を覆い包む。【選択図】図１
0003185424.tif 000002
【実用新案登録請求の範囲】
【請求項１】
基部と、設置台座と、発光素子と、保護カバーと、透気部とからなる、電球式及び埋め込み式照明の構造であって、
前記基部内には、電源駆動モジュールが設けられ、
少なくとも一つの前記発光素子は、前記設置台座上に設けられ、
前記透気部は、前記基部頂端に設けられるとともに、前記設置台座底端に接続され、
前記発光素子は、前記電源駆動モジュールと電気的に接続され、
前記保護カバーは、前記設置台座上に被せられて、前記発光素子を覆い包むことを特徴とする、電球式及び埋め込み式照明の構造。
【請求項２】
前記保護カバーは、基部頂部に取り外し可能に被せられて、発光素子を覆い包むとともに、ランプ台座に取り付けて照明として使用する時、保護カバーを取り外すことで前記発光素子が最大の照明輝度を発揮することを特徴とする、請求項１に記載の電球式及び埋め込み式照明の構造。
【請求項３】
基部と、設置台座と、発光素子と、保護カバーと、一面に細孔を有する環状帯が内設された透気部とからなる、電球式及び埋め込み式照明の構造であって、
前記基部内には、電源駆動モジュールが設けられ、
少なくとも一つの前記発光素子は、前記設置台座上に設けられ、
前記透気部は、前記基部頂端に設けられるとともに、前記設置台座底端に接続され、
前記発光素子は、前記電源駆動モジュールと電気的に接続され、
前記保護カバーは、前記設置台座上に被せられて、前記発光素子を覆い包むことを特徴とする、電球式及び埋め込み式照明の構造。
【請求項４】
前記透気部は、本体と、外蓋と、環状帯とからなり、
前記本体は、上下に開口した形態を呈するとともに、その上縁に複数の切欠溝が開設され、
前記外蓋は、底部が開口するとともに、その頂部近くにおける前記切欠溝に対応する位置に、同じ数の溝孔が開設され、
前記環状帯は、透気用の隙間を有するとともに、細繊維が交差した環状体を呈し、且つその一面に細孔が設けられ、
前記環状帯を前記本体の外表面に嵌めて前記切欠溝を覆い包んでから、前記外蓋を前記本体に被せることにより、前記透気部が形成され、
前記透気部は、設置台座底部に螺合されるとともに、前記本体に内設された係止部品によって基部頂部に係合されることを特徴とする、請求項３に記載の電球式及び埋め込み式照明の構造。
【請求項５】
基部と、発光素子と、保護カバーと、一面に細孔を有する環状帯が内設された透気部とからなる、電球式及び埋め込み式照明の構造であって、
主に、埋め込み式照明器具のための構造であり、
少なくとも一つの前記発光素子は、前記基部に設けられ、
前記透気部は、その内部に電源駆動モジュールが設けられるとともに、前記基部底端に接続され、
前記発光素子は、前記電源駆動モジュールと電気的に接続され、
前記保護カバーは、前記基部頂面に被せられて、前記発光素子を覆い包むことを特徴とする、電球式及び埋め込み式照明の構造。
【請求項６】
前記透気部は、本体と、外蓋と、環状帯とからなり、
前記本体は、上下に開口した形態を呈するとともに、その上縁に複数の切欠溝が開設され、
前記外蓋は、底部が開口するとともに、その頂部近くにおける前記切欠溝に対応する位置に、同じ数の溝孔が開設され、
前記環状帯は、透気用の隙間を有するとともに、細繊維が交差した環状体を呈し、且つその一面に細孔が設けられ、
前記環状帯を前記本体の外表面に嵌めて前記切欠溝を覆い包んでから、前記外蓋を前記本体に被せることにより、前記透気部は形成されることを特徴とする、請求項５に記載の電球式及び埋め込み式照明の構造。
【考案の詳細な説明】
【技術分野】
【０００１】
本考案は、照明用器具に関し、特に電球式及び埋め込み式照明の構造に関する。
【背景技術】
【０００２】
従来、照明には伝統的な白熱電球が使用されてきた。しかし、白熱電球は熱くなる上に消費電力が多く、耐用年数が短いといった欠点がある。そのため、近年では徐々に省エネ電球に取って代わられてきている。省エネ電球は、小型の蛍光灯管に安定器が組み合わされて、電球（管形照明）台座に取り付けられている。省エネ電球に使用される蛍光灯管の種類は多様で、通常は、管径が比較的細い直管状・Ｕ字型管・螺旋型が使用されるか、あるいは管径がより細い冷陰極管や、ＬＥＤ発光ダイオード光源が採用される。また、この種の照明器具は、放熱溝孔を備えているが、放熱溝孔から蚊や蟻が内部に入り込むことによって電子部品が壊れやすくなる。加えて、前述の各種照明には共通の欠点がある。その欠点とは、管形照明本体が全てガラス製であるため、運搬や保管時に、ぶつかった衝撃で割れて破損しやすいことである。これらのことから、従来の構造は理想的とは言いがたく、改善の必要性がある。
【考案の概要】
【考案が解決しようとする課題】
【０００３】
そこで、本考案は、省エネ電球と埋め込み式の照明器具における保護機能及び放熱構造を提供することを目的とする。
【０００４】
また、本考案は、良好な透気放熱効果を有するとともに、蚊や蟻の進入による電子部品の破損を防ぐことができる、照明器具を提供することを目的とする。
【０００５】
さらに、本考案は、脆弱な発光素子が保護カバーによって保護されることで、保管時の積み置き、あるいは運搬、取り付けや取り外しの過程における損傷を回避するとともに、使用時には、消費者が必要に応じて保護カバーを取り外すことで、発光素子に最大の照明輝度を発揮させることができ、さらに効果の切れた発光素子を取り外して回収する時には、保護カバーを再度取り付けて保護することにより、後続の関連作業を行う人が不慮の怪我を負うことを回避することができる、照明器具を提供することを目的とする。
【課題を解決するための手段】
【０００６】
前述の目的を達成するため、本考案の電球式及び埋め込み式照明の構造は、基部と、設置台座と、発光素子と、保護カバーと、一面に細孔を有する環状帯が内設された透気部とからなる。前記基部内には、電源駆動モジュールが設けられる。少なくとも一つの前記発光素子は、前記設置台座上に設けられる。前記透気部は、前記基部頂端に設けられるとともに、前記設置台座底端に接続される。また、前記発光素子は、前記電源駆動モジュールと電気的に接続される。前記保護カバーは、前記設置台座上に被せられて、前記発光素子を覆い包む。
【０００７】
前述した発光素子は、管径が比較的細い直管状蛍光灯管・Ｕ字型蛍光灯管・螺旋型蛍光灯管であるか、あるいは管径がより細い冷陰極管や、ＬＥＤ発光ダイオード光源が採用される。
【図面の簡単な説明】
【０００８】
【図１】本考案の分解図である。
【図２】本考案を組み立てた様子を示した外観図である。
【図３】本考案を取り付けて使用した際の概略図である。
【図４】本考案の実施例を示した概略図である。
【図５】本考案の実施例を示した概略図である。
【図６】本考案の実施例を示した概略図である。
【図７】本考案の実施例を示した概略図である。
【図８】本考案の透気部の構造を示した分解図である。
【図９】本考案の透気部を取り付けた様子を示した概略図である。
【図１０】本考案のもう一つの実施例を示した分解図である。
【図１１】本考案のもう一つの実施例を組み立てた様子を示した外観図である。
【考案を実施するための形態】
【０００９】
（実施例１）
図１、図２を参照する。図は、本考案の実施例の構造の分解図、及び組み立てた様子を示した外観図である。本考案の照明器具１は、基部１０と、設置台座２０と、発光素子３０と、透気部４０と、保護カバー５０とからなる。基部１０内には、電源駆動モジュール６０が設けられる。少なくとも一つの発光素子３０は、設置台座２０上に設けられる。透気部４０は、基部１０頂端に設けられるとともに、設置台座２０底端に接続される。また、発光素子３０は電源駆動モジュール６０と電気的に接続される。保護カバー５０は、設置台座２０上に取り外し可能に被せられて、発光素子３０を覆い包む。
【００１０】
図４から図７を参照する。前述した発光素子３０は、管径が比較的細い直管状・Ｕ字型管・螺旋型であるか、あるいは管径がより細い冷陰極管や、ＬＥＤ発光ダイオード光源が採用される。
【００１１】
図２、図３を参照する。本考案の実施例の照明部品１は、保護カバー５０が設置台座２０上に被せられて発光素子３０を覆い包むことにより、保管時の積み置き、あるいは運搬、取り付けや取り外しの過程における衝撃による損傷から、脆弱な発光素子３０を保護することができる。また、電球（管形照明）台座２に取り付けて照明として用いる時、保護カバー５０を取り外すことで発光素子３０の光を遮らないようにして、発光素子３０に最大の照明輝度を発揮させることができる。加えて、効果の切れた発光素子３０を取り外して回収する時、保護カバー５０を再度取り付けて保護することにより、後続の関連作業を行う人が不慮の怪我を負うことを回避できる。
【００１２】
図８、図９を参照する。本考案の透気部４０は、本体４１と、外蓋４２と、環状帯４３とからなる。本体４１は、上下に開口した形態を呈するとともに、その上縁に複数の切欠溝４１１が開設される。外蓋４２は、底部が開口するとともに、その頂部近くにおける切欠溝４１１に対応する位置に、同じ数の溝孔４２１が開設される。ガラス繊維不織布から作られた環状帯４３は、透気用の隙間を有するとともに、細繊維が交差した環状体を呈し、且つその一面に細孔が設けられる。環状帯４３を本体４１の外表面に嵌めて切欠溝４１１を覆い包んでから、外蓋４２を本体４１に被せることで、透気部４０が組み立てられる。さらに、透気部４０は、ボルトで設置台座２０底部に螺合されるとともに、本体４１に内設された係止部品によって基部１０頂部に係合される。以上の構造から、照明器具は透気部４０によって空気還流が良くなり、良好な透気放熱効果を達成する。加えて、蚊や蟻、異物が入り込むことによって電子部品が破損することを防ぐことができるので、安全規格の規定に適う。
【００１３】
（実施例２）
図１０、図１１を参照する。図は、本考案における照明器具のもう一つの実施例を示した分解図、及び組み立てた様子を示した外観図であり、主に埋め込み式照明器具のための構造である。本実施例は、基部１０と、発光素子３０と、保護カバー５０と、一面に細孔を有する環状帯が内設された透気部４０とからなる。少なくとも一つの発光素子３０は、基部１０内に設けられる。透気部４０は、その内部に電源駆動モジュール６０が設けられるとともに、基部１０底端に接続される。また、発光素子３０は、電源駆動モジュール６０と電気的に接続される。保護カバー５０は、基部１０頂面に被せられて、発光素子３０を覆い包む。
【符号の説明】
【００１４】
１            照明部品
１０   基部
２            電球（管形照明）台座
２０   設置台座
３０   発光素子
４０   透気部
４１   本体
４１１ 切欠溝
４２   外蓋
４２１ 溝孔
４３   環状帯
５０   保護カバー
６０   電源駆動モジュール
【図１】
0003185424.tif 000003
【図２】
0003185424.tif 000004
【図３】
0003185424.tif 000005
【図４】
0003185424.tif 000006
【図５】
0003185424.tif 000007
【図６】
0003185424.tif 000008
【図７】
0003185424.tif 000009
【図８】
0003185424.tif 000010
【図９】
0003185424.tif 000011
【図１０】
0003185424.tif 000012
【図１１】
0003185424.tif 000013